(57)【要約】【課題】  小鳥が自らくちばしでスライドドアを持ち上げて逃げ出すことを確実に阻止することができ、そのために特別な治具も必要としないような鳥籠を提供する。【解決手段】  開閉可能なスライドドア（３）を通して餌入れ容器（４）を出し入れする鳥籠（１）である。前記スライドドア（３）の左右下端部に前方斜め下に向かって伸びる係合片（３２，３３）が設けられており、この係合片（３２，３３）は係合部（３４，３５）を有している。前記餌入れ容器（４）は、この容器（４）の後壁（４１）に隣接した位置において、前記容器（４）の左右側部壁（４２，４３）の上端部に切り込み（４８，４９）と、前記係合部（３４，３５）と係合するロック手段を有する。【選択図】  図２
2019118265.tif 000002
【特許請求の範囲】
【請求項１】
開閉可能なスライドドア（３）を通して餌入れ容器（４）を出し入れする鳥籠（１）であって、
前記スライドドア（３）は、
このドア（３）の左右下端部に、前方斜め下に向かって伸びる係合片（３２，３３）が設けられており、この係合片（３２，３３）は係合部（３４，３５）を有しており、
前記餌入れ容器（４）は、
この容器（４）上端の前部及び後部からそれぞれ水平に伸びる前部延長部（４５）及び後部延長部（４６）を有し、
この容器（４）の後壁（４１）に隣接した位置において、前記容器（４）の左右側部壁（４２，４３）の上端部に切り込み（４８，４９）が設けられていると共に、
前記係合部（３４，３５）と係合するロック手段を有することを特徴とする鳥籠。
【請求項２】
前記ロック手段は、前記容器（４）の後壁（４１）から前方に突出する爪（５０，５１）であり、
ロック時には前記係合部（３４，３５）が前記爪（５０，５１）と係合する
ことを特徴とする請求項１記載の鳥籠。
【請求項３】
前記ロック手段は、前記容器（４）の後壁（４１）に隣接して設けられた磁石（５２，５３）であり、ロック時には前記係合部（３４，３５）と前記磁石（５２，５３）が付着する、
ことを特徴とする請求項１記載の鳥籠。
【請求項４】
前記後部延長部（４６）の裏面に、下方に延びる突起（４７）が設けられている請求項１〜３のいずれかに記載の鳥籠。
【発明の詳細な説明】
【技術分野】
【０００１】
本発明は鳥籠に関するものであり、特に籠の中の小鳥が自らくちばしでスライドドアを持ち上げて逃げ出さないようにした鳥籠に関する。
【背景技術】
【０００２】
小鳥を飼っていると毎日の餌やりや水替えが欠かせない。鳥籠のスライドドアを開けてこれらの作業を行っているとき、開けたドアから小鳥が逃げ出すことがある。これを防ぐために、例えば、実開昭６３―１１９３５６のような考案が公知である。これは、餌や水などを入れた引き出しを引き出すときに閉塞壁が自重で回動して扉の開口をふさぐというものである。
【先行技術文献】
【特許文献】
【０００３】
【特許文献１】実開昭６３―１１９３５６
【発明の概要】
【発明が解決しようとする課題】
【０００４】
上記従来例で使用する閉塞壁は回動するだけであり、閉鎖状態で固定されるわけではない。餌やりや水替えの際に逃げ出す場合に限らず、小鳥が自らくちばしで閉塞壁を持ち上げれば、いつでもスライドドアが開いてしまう。そのような事態を防ぐために特別なロック治具も販売されている。
【０００５】
本発明は、小鳥が自らくちばしでスライドドアを持ち上げて逃げ出すことを確実に阻止することができ、しかもそのために特別な治具も必要としないような鳥籠を提供することを目的とする。
【課題を解決するための手段】
【０００６】
本発明は、開閉可能なスライドドアを通して餌入れ容器を出し入れする鳥籠である。前記スライドドアは、このドアの左右下端部に前方斜め下に向かって伸びる係合片が設けられており、この係合片は係合部を有している。前記餌入れ容器はこの容器上端の前部及び後部からそれぞれ水平に伸びる前部延長部及び後部延長部を有している。この容器の後壁に隣接した位置において、前記容器の左右側部壁の上端部に切り込みが設けられていると共に、前記係合部と係合するロック手段を有する（請求項１）。
【０００７】
前記ロック手段は、例えば前記容器の後壁から前方に突出する爪であり、ロック時には前記係合部が前記爪と係合するものとすることができる（請求項２）。
【０００８】
別の態様では、前記ロック手段は、前記容器の後壁に隣接して設けられた磁石であり、ロック時には前記係合部と前記磁石が付着するものとすることができる（請求項３）。
【０００９】
好ましくは、前記後部延長部の裏面には下方に延びる突起が設けられている（請求項４）。
【発明の効果】
【００１０】
本発明によれば、餌入れ容器内の餌や水の重さ及び小鳥が前部延長部にかかったときの重さにより、餌入れ容器は鳥籠のドア直下部分を支点として下方に回動する。この回動運動により、スライドドアの係合部と餌入れ容器のロック手段が係合する。これによりロック状態となり、小鳥はくちばしを使っても解除することはできなくなるので、逃げ出すことができない。
【００１１】
ロック手段としては、容器の後壁から前方に突出する爪を設けたり、容器の後壁に隣接して磁石を設けたりすればよく、特別な治具を用意しておく必要ない。
【図面の簡単な説明】
【００１２】
【図１】本発明の実施例１である鳥籠全体の斜視図である。
【図２】実施例１の鳥籠の餌入れ容器とスライドドアの拡大図であり、（ａ）は非係合時、（ｂ）は係合時の状態を示す斜視図である。
【図３】（ａ）〜（ｄ）は、餌入れ容器とスライドドアの動きを示す側面図である。
【図４】実施例２の鳥籠の餌入れ容器とスライドドアの拡大図であり、（ａ）は非係合時、（ｂ）は係合時の状態を示す斜視図である。
【発明を実施するための形態】
【００１３】
以下、添付の図面に基づいて本発明の実施例を２つ説明する。
【実施例１】
【００１４】
図1に示すように、鳥籠１には餌やりや水替えのための開口２とそれをふさぐスライドドア３が設けられており、この開口２を通じて餌入れ容器４を出し入れし、用が済めばドア３を閉じる。鳥籠１の壁は多数の棒状部材１１を格子状に組み合わせるようにして形成されており、内部の小鳥がよく鑑賞できるようになっている。
【００１５】
スライドドア３は、図２に示すように、鳥籠１の壁を小さく切り取ったような外観を有する。ドア３の左右上端部に、鳥籠１の壁に沿って上下にスライドさせるために湾曲したアーム３０，３１が設けられている。ドア３の左右下端部には前方斜め下に向かって伸びる係合片３２，３４が所定の傾斜角度を維持するようにして設けられている。係合片３２，３４の末端は容器の内側に向かって伸びる係合部３４，３５である。
【００１６】
餌入れ容器４は、図２に示すように、上部が開口した箱状の容器であり、前壁４０、後壁４１、左壁４２、右壁４３、底部４４を有する。容器上端の前部及び後部からそれぞれ水平に延長部が形成されている。前部延長部４５は小鳥Ｂがその上に乗って餌をついばむためのものである（図３（ｄ）参照）。後部延長部４６は餌をやる人が指で持つためのものである。後部延長部４６の裏面には下方に延びる突起４７が設けられている。
【００１７】
餌入れ容器４の後壁４１に隣接した位置において、左右側部壁４２，４３の上端部に切り込み４８，４９が設けられている。切り込み４８，４９は、側面から見ると、図３（ｂ）〜（ｄ）に示すように、後壁４１から前方に突出する爪５０，５１を除き、全体として下向き三角形状のものである。
【００１８】
本発明の作用原理を図３に基づいて説明する。
【００１９】
（ａ）はスライドドア３が閉鎖された状態である。
【００２０】
この状態から餌やりや水替えのためにスライドドア３を指で持ち上げながら、（ｂ）に示すように、ドア部に形成された開口２をふさぐような形で餌入れ容器４を鳥籠１内に進入させる。
【００２１】
ドア３を持ち上げていた手を放すと、（ｃ）に示すように、自重によりドア３は落下する。このとき、係合片３２，３４の係合部３３，３５は切欠き４８，４９の内部に位置する。
【００２２】
餌入れ容器４内の餌Ｅや水の重さ及び小鳥Ｂが前部延長部４５にかかったときの重さにより、（ｄ）に示すように、餌入れ容器４は鳥籠１のドア直下部分１２を支点として下方に回動する。この回動運動により、係合片３２，３４の係合部３３，３５が切り込み４８，４９の爪５０，５１の下に入り込む。これでロック状態となり、小鳥Ｂはくちばしを使っても解除することはできなくなるので、逃げ出すことができない。
【００２３】
回動運動が行き過ぎて餌入れ容器４が鳥籠内に落ち込まないのは、容器後壁４１が鳥籠１と接触すること、ドア３の下端部３６が後部延長部４６を上から押圧すること、後部延長部４６の裏面にある突起４７がストッパーの役割を果たすことのためである。
【００２４】
ロックを解除するには人が餌入れ容器４を少し引きながら持ち上げて、爪５０，５１から係合部３３，３５を外すだけでよい。
【実施例２】
【００２５】
実施例２では、図４に示すように、切り込みはほぼ四角形状であり、餌入れ容器４Ａの後壁４１Ａの左右上部に磁石５２，５３が取り付けられている。その他の構成は実施例１と同様なので、実施例１の符号に「Ａ」を付して詳細な説明を省略する。
【００２６】
餌入れ容器４Ａ内の餌Ｅや水の重さ及び小鳥Ｂが前部延長部４５Ａにかかったときの重さにより、餌入れ容器４Ａは鳥籠のドア直下部分を支点として下方に回動する。この回動運動により、係合片３２Ａ，３４Ａの係合部３３Ａ，３５Ａが磁石５２，５３と付着する。これでロック状態となり、小鳥Ｂはくちばしを使っても解除することはできなくなるので、逃げ出すことができない。
【００２７】
ロックを解除するには人が餌入れ容器４Ａを磁石５２，５３の磁力に抗して少し引きながら持ち上げればよい。係合部３３，３５が磁石５２，５３から外れると、簡単に係合状態を解除することができる。
【符号の説明】
【００２８】
１     鳥籠
１１   棒状部材
１２   ドア直下部分
２     開口
３，３Ａ      スライドドア
３０，３１；３０Ａ，３１Ａ  アーム
３２，３４，３２Ａ，３４Ａ  係合片
３３，３５，３３Ａ，３５Ａ  係合部
３６   下端部
４，４Ａ      餌入れ容器
４０，４０Ａ  容器前壁
４１，４１Ａ  容器後壁
４２，４２Ａ  容器左壁
４３，４３Ａ  容器右壁
４４，４４Ａ  容器底部
４５，４５Ａ  前部延長部
４６，４６Ａ  後部延長部
４７，４７Ａ  突起
４８，４９  切り込み
５０，５１    爪
５２，５３  磁石
Ｂ     小鳥
Ｅ    餌
【図１】
2019118265.tif 000003
【図２】
2019118265.tif 000004
【図３】
2019118265.tif 000005
【図４】
2019118265.tif 000006